(57)【特許請求の範囲】
【請求項１】
伝送処理装置と、複数の端末器とを信号線にて接続し、伝送処理装置から端末器をアクセスして時分割多重伝送により、伝送処理装置から端末器へ制御データを伝送するとともに、端末器から監視データを返信させる遠隔監視制御システムを用い、伝送処理装置からのアクセスによりフェード開始の制御データを受け取ると所定照度レベルから予め設定された目標照度レベルへ照明負荷の照度をフェードさせる調光制御機能と、一斉制御用アドレスを個別アクセス用のアドレスに加えて設定可能なアドレス部を有する複数の調光制御用端末器と、一括制御対象となる調光制御用端末器に対応する操作スイッチを備えた操作用端末器とを具備し、伝送処理装置は、上記操作用端末器の操作スイッチの操作に対応する監視データを受け取ると、上記一斉制御用アドレスをアクセスして当該一斉制御用アドレスが設定された調光制御用端末器にフェード開始用の制御データを送る機能を備え、上記調光制御用端末器は、個別アクセス用のアドレスのアクセスによって伝送処理装置から目標照度レベルのデータを受け取ってフェード時の目標照度レベルとして記憶保持する機能を備え、フェード制御中に上記伝送処理装置から状態監視データの返信を要求されると、上記調光制御用端末器は、フェードにより最終的に制御する上記目標照度レベルを監視データとして返信することを特徴とする遠隔監視制御システムを用いた調光装置。
【請求項２】
上記所定照度レベルから上記目標所定レベルまで照明負荷の照度を変化させるに要するフェード時間データを調光制御用端末器に伝送処理装置から与えるものであることを特徴とする請求項１記載の遠隔監視制御システムを用いた調光装置。
【発明の詳細な説明】
【０００１】
【発明の属する技術分野】
本発明は、時分割多重伝送による遠隔監視制御システムを用いた調光装置に関するものである。
【０００２】
【従来の技術】
従来より、複数個ずつの操作用端末器及び制御用端末器を時分割多重方式で２線式の信号線を介して伝送処理装置に接続した遠隔監視制御システムが考えられている（特開平８−４５６７２号公報等参照）。操作用端末器及び制御用端末器には各別にアドレスが設定されており、伝送処理装置はアドレスによって各操作用端末器及び各制御用端末器を個別に認識する。操作用端末器はスイッチを備え、このスイッチの操作により発生した割込信号を伝送処理装置に伝送する。伝送処理装置は割込信号を受信すると割り込みを要求している操作用端末器を検索し、さらに検索した操作用端末器とアドレスによって対応関係が予め設定されている制御用端末器に対して制御データを伝送する。制御データを受け取った制御用端末器では、接続されている負荷をスイッチの操作に対応させて制御する。
【０００３】
このような遠隔監視制御システムを用いたものとして図１１に示すような調光装置がある。この場合伝送処理装置７０には、商用電源から電源線Ｌｅを介しての照明負荷Ｌへの給電をオンオフするリレーＲｙを内蔵したオンオフ用制御用端末器７１、オンオフ操作用スイッチＳｂの操作状態を監視するオンオフ操作用端末器７２、インバータ式の安定器を具備する蛍光灯照明器具のような照明負荷Ｌに対してインバータの出力を可変する調光信号を調光信号線Ｌｔを介して伝達する調光制御用端末器７３、照明負荷Ｌの調光アップ、調光ダウン、調光信号のオンオフをそれぞれ指示する３個のスイッチ（以下、それぞれをアップ調光用操作スイッチＳｕ、ダウン調光用操作スイッチＳｄ、オンオフ用操作スイッチＳａと呼ぶ。）を設け且つ照明負荷Ｌの照度レベルを複数の発光ダイオードの点灯個数で表示するレベル表示部１２を備えた調光操作用端末器１’が２線式の信号線Ｌｓを介して接続される。オンオフ用制御用端末器７１、調光制御用端末器７３、オンオフ用操作用端末器７２、調光操作用端末器１’には、それぞれ個別のアドレスが設定され、この個別アドレスを用いて伝送処理装置７０が各端末器を個別に認識する。
【０００４】
伝送処理装置７０は信号線Ｌｓに対して、図１２（ａ）に示すフォーマットの伝送信号Ｖｓを送出する。すなわち、信号送出開始を示す同期信号ＳＹ、伝送信号Ｖｓのモードを示すモードデータＭＤ、端末器１’，７１〜７３を各別に呼び出すためのアドレスデータＡＤ、照明負荷Ｌを制御する制御データＣＤ、伝送誤りを検出するためのチェックサムデータＣＳ、端末器１’，７１〜７３からの返信信号を受信するタイムスロットである信号返信期間ＷＴよりなる双極性（±２４Ｖ）の時分割多重信号であり、パルス幅変調によってデータが伝送されるようになっている（図１２（ｂ））。端末器１’，７１〜７３では、それぞれ信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返信期間ＷＴにデータを電流モード信号（信号線Ｌｓを適当な低インピーダンスを介して短絡することにより送出される信号）として返信する。
【０００５】
伝送処理装置７０から所望の端末器１’，７１〜７３にデータを伝送する場合には、モードデータＭＤを制御モードとし、端末器１’，７１〜７３のアドレスをアドレスデータＡＤとする伝送信号Ｖｓを送出し、この伝送信号Ｖｓを信号線Ｌｓに送出すれば、アドレスデータＡＤに一致する端末器１’，７１〜７３が制御データＣＤを受け取り、制御データＣＤにパリティビットを付加した信号を信号返信期間ＷＴに返信する。伝送処理装置７０では送出した信号と信号返信期間ＷＴにおける受信信号との一致によって制御データＣＤが所望の端末器１’，７１〜７３に伝送されたことを確認する。また、オンオフ用制御用端末器７１や調光制御用端末器７３は受け取った制御データＣＤに従って照明負荷Ｌを制御する（オンオフ用操作用端末器７２や調光操作用端末器１’では受け取った制御データＣＤに従って照明負荷Ｌの動作確認表示を行なう）。
【０００６】
一方、伝送処理装置７０は常時はモードデータＭＤをダミーモードとした伝送信号Ｖｓを一定時間間隔で送出しており、端末器１’，７１〜７３が伝送処理装置７０に対して何らかの情報を伝送しようとするときには、ダミーモードの伝送信号Ｖｓの同期信号ＳＹに同期させて図１２（ｃ）のような割込信号を発生させる。このとき、端末器１’，７１〜７３は割込フラグを設定して伝送処理装置７０との以後の情報授受に備える。伝送処理装置７０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した端末器１’，７１〜７３では、割込ポーリングモードの伝送信号のアドレスデータＡＤの上位４ビットが端末器１’，７１〜７３に設定されているアドレスの上位４ビットに一致するときに、信号返信期間ＷＴにアドレスの下位の半数のビットを伝送処理装置７０に返信する。このように、伝送処理装置７０は割込信号を発生した端末器１’，７１〜７３を１６個ずつまとめて探すので、比較的短い時間で端末器１’，７１〜７３を発見することができる。伝送処理装置７０が割込信号を発生した端末器１’，７１〜７３のアドレスを獲得すると、モードデータＭＤを監視モードとし、獲得したアドレスデータＡＤを持つ伝送信号を信号線Ｌｓに送出し、これに対して端末器１’，７１〜７３は伝送しようとする情報を信号返信期間ＷＴに返信するのである。最後に、伝送処理装置７０は割込信号を発生した端末器１’，７１〜７３に対して割込リセットを指示する信号を送出し、端末器１’，７１〜７３の割込フラグを解除する。以上のようにして、端末器１’，７１〜７３から伝送処理装置７０への情報伝送は、伝送処理装置７０から端末器１’，７１〜７３への４回の信号伝送（ダミーモード、割込ポーリングモード、監視モード、割込リセット）によって完了する。伝送処理装置７０が所望の端末器１’，７１〜７３の動作状態を知ろうとするときには、モードデータＭＤを監視データとした伝送信号を送出するだけでよい。
【０００７】
而して、伝送処理装置７０では、オンオフ用操作用端末器７２に設けたスイッチＳｂが操作されると、オンオフ用操作用端末器７２から返信された操作データに基づいて、スイッチＳｂとの対応関係があらかじめ設定されている照明負荷Ｌの点灯・消灯を制御するオンオフ用制御用端末器７１に伝送する制御データを生成し、その制御データを含む伝送信号Ｖｓを信号線Ｌｓに送出し、対応するオンオフ用制御用端末器７１に制御データを伝送して照明負荷Ｌを点灯又は消灯する。また、調光操作用端末器１’に設けたアップ調光用操作スイッチＳｕ（またはダウン調光用操作スイッチＳｄ）が操作されると、図１３のシーケンス図に示すように調光操作用端末器１’はオンオフ用操作用端末器７２と同様に割込信号を送出し、伝送処理装置７０の割り込みポーリングに応じてアドレス返信を行い、伝送処理装置７０から割込み要求監視のアクセスに対応して操作スイッチＳｕ（又はＳｄ）の操作データを照度変化要求の監視データとして伝送処理装置７０へ返信する。
【０００８】
伝送処理装置７０は割り込み解除後照度変化開始の制御データを対応する調光制御用端末器７３をアクセスして伝送する。調光制御用端末器７３は待機状態において、アップ（若しくはダウン）調光を示す照度変化開始の制御データを受信するとその時点から照明負荷Ｌの照度レベルを一定比率でアップ若しくはダウンするための調光信号を、アップ調光用操作スイッチＳｕ（またはダウン調光用操作スイッチＳｄ）が操作されなくなり、それに対応して割り込み処理が為された後、照度変化停止の制御データが伝送処理装置７０から伝送されるまで照明負荷Ｌへ送る。ここで消灯〜全点灯までの照度レベルの範囲を１２８段階に分け、調光制御時には１段階ずつレベルアップ若しくはレベルダウンさせる調光信号を順次照明負荷Ｌへ送るようになっている。そして照度変化停止の制御データを受けとると調光制御用端末器７３はその時点で照度レベルをアップ若しくはダウンする制御を停止してその時点の照度レベルで照明負荷Ｌの照度を維持するものである。これにより、調光操作用端末器１’のアップ調光用操作スイッチＳｕまたはダウン調光用操作スイッチＳｄの操作中に、照明負荷Ｌの光出力を連続的に変化させることができる。
【０００９】
この照明負荷Ｌの照度を変化させる動作中、調光操作用端末器１’のレベル表示部１２で照度レベル変化を表示を行うようになっており、例えば７段階の照度レベル変化がある度に照度レベル変化表示をアップ若しくはダウンさせるようになっている。
【００１０】
つまり調光制御用端末器７３は７段階の照度レベルの変化があるたびに割込信号を発生し、この割込信号の発生に応じた伝送処理装置７０の割り込みポーリングに対してアドレス返信を行い、更に伝送処理装置７０の照度レベル監視の要求に応じて照度レベルを監視データとして伝送処理装置７０へ返信する。伝送処理装置７０は割り込み解除後照度レベル表示の制御データを対応する調光操作用端末器１’をアクセスして伝送する。
【００１１】
そして上述の照度変化停止が行われるまで、照度レベルが７段階変化するたびに割り込み処理と照度レベルの返信処理と、照度レベル表示の制御データの伝送処理が行われるのである。
【００１２】
尚調光操作用端末器１’のオンオフ用操作スイッチＳａは、調光制御用端末器７３から調光信号線Ｌｔを介して伝達される調光信号をオンオフさせるために設けられている。また、図中７４は調光制御用端末器７３の電源を商用電源から降圧して得るためのトランスである。また伝送処理装置７０、オンオフ用制御用端末器７１、調光制御用端末器７３の器体は分電盤協約寸法に合わせて形成されており、図１１に示すように分電盤８０内にまとめて配設することができるようになっている。
【００１４】
【発明が解決しようとする課題】
ところで、従来の遠隔監視制御システムを用いて照明負荷を制御する装置では複数の照明負荷を一括制御して所定の照明パターンを創生するパターン制御機能がある。しかし、従来装置では調光制御用端末器をパターン制御に用いる場合，一括操作に対応する操作用端末器の操作スイッチの操作があると、この操作に対応して予めパターン制御対象として設定してある調光制御用端末器を伝送処理装置が順次アクセスして照度変化の制御データを送り、制御データを受け取った調光制御用端末器では予め設定されている照度レベルに照明負荷の照度レベルを切換えるように調光信号を生成するようになっていたため、フェードイン、或いはフェードアウトによって雰囲気に応じた極め細かいパターン制御を行うことができないという問題があった。
【００１５】
本発明は上記事由に鑑みて為されたものであり、雰囲気に応じた極め細かいパターン制御を行うことができる遠隔監視制御システムを用いた調光装置を提供することを目的とする。
【００１７】
【課題を解決するための手段】
上記目的を達成するために請求項１の発明では、伝送処理装置と、複数の端末器とを信号線にて接続し、伝送処理装置から端末器をアクセスして時分割多重伝送により、伝送処理装置から端末器へ制御データを伝送するとともに、端末器から監視データを返信させる遠隔監視制御システムを用い、伝送処理装置からのアクセスによりフェード開始の制御データを受け取ると所定照度レベルから予め設定された目標照度レベルへ照明負荷の照度をフェードさせる調光制御機能と、一斉制御用アドレスを個別アクセス用のアドレスに加えて設定可能なアドレス部を有する複数の調光制御用端末器と、一括制御対象となる調光制御用端末器に対応する操作スイッチを備えた操作用端末器とを具備し、伝送処理装置は、上記操作用端末器の操作スイッチの操作に対応する監視データを受け取ると、上記一斉制御用アドレスをアクセスして当該一斉制御用アドレスが設定された調光制御用端末器にフェード開始用の制御データを送る機能を備え、上記調光制御用端末器は、個別アクセス用のアドレスのアクセスによって伝送処理装置から目標照度レベルのデータを受け取ってフェード時の目標照度レベルとして記憶保持する機能を備え、フェード制御中に上記伝送処理装置から状態監視データの返信を要求されると、上記調光制御用端末器は、フェードにより最終的に制御する上記目標照度レベルを監視データとして返信することを特徴とする。
【００１９】
請求項２の発明では、請求項１の発明において、上記所定照度レベルから上記目標所定レベルまで照明負荷の照度を変化させるに要するフェード時間データを調光制御用端末器に伝送処理装置から与えるものであることを特徴とする。
【００２０】
【発明の実施の形態】
（基本形態）
本発明の基本形態を図１〜図９を参照して詳細に説明する。
【００２１】
図１は本基本形態を示す全体構成を示しており、伝送処理装置７０に対して 2線の信号線Ｌｓを介して白熱電球からなる照明負荷Ｌａを調光点灯させる調光制御用端末器７３ａ、蛍光灯を調光点灯させるインバータ式の蛍光灯照明器具からなる照明負荷Ｌｂを調光制御する調光制御用端末器７３ｂ、照明負荷Ｌｂの電源供給をオンオフするオンオフ制御用端末器７１、更に照明負荷Ｌａを点灯／消灯させるオンオフ制御用端末器７１’等を接続するとともに、調光操作用端末器１ａ，１ｂや、多機能操作用端末器９０，さらに個別負荷をオンオフさせるための操作用端末器１ｃを接続し、これら端末器７３ａや７３ｂと、調光操作用端末器１ａ，１ｂと、多機能操作用端末器９０と、伝送処理装置７０とで本基本形態の調光装置を構成している。
【００２２】
この調光装置や、個別操作用の端末器１ｃ、この端末器１ｃに対応して照明負荷Ｌａを制御するオンオフ制御用端末器７１’等を含めて遠隔監視制御が行える制御システムを構築してある。９５は多機能操作用端末器９０に電源を商用電源を降圧して供給するための降圧トランスである。
【００２３】
図２は調光操作用端末器１ａ（又は１ｂ）の回路ブロック図を示しており、図示する調光操作用端末器１ａ（又は１ｂ）は、信号線Ｌｓを通じて時分割多重の伝送信号Ｖｓを受信し、また電流モードの返信信号を返信するための送受信回路部２と、マイクロプロセッサを内蔵した専用の集積回路よりなる信号処理部３と、端末器機能のデータやアドレスデータを書き込むＥＥＰＲＯＭからなる設定部４と、設定器８０からの光ワイヤレス信号を受光素子で受光するとともに設定部４の設定データを確認データとして発光素子（図示せず）を介して送信する光ワイヤレス信号送受信回路部５と、アップ調光用操作スイッチＳｕ，ダウン調光用操作スイッチＳｄ並びにオンオフ用操作スイッチＳａを具備するスイッチ入力回路部６と、信号線Ｌｓを介して伝送されてくる伝送信号Ｖｓから上記各回路の動作電源を作成する電源回路部７と、照度レベル表示用の発光ダイオードＬＤ１〜ＬＤ６からなるレベル表示部１２及び照明負荷Ｌの点灯・消灯表示用の発光ダイオードＬＤ７，ＬＤ８を具備した表示回路部８とで構成され、信号処理部３はアップ調光用操作スイッチＳｕ，ダウン調光用操作スイッチＳｄ，オンオフ用操作スイッチＳａの操作に応じたスイッチ入力回路部６からの信号に基づいて照明負荷Ｌの照度レベルをアップ、ダウンさせる操作信号や、オン／オフさせる操作信号を監視データとして作成して返信させる機能と、伝送処理装置７０からの状態制御のデータを受信した時に対象照明負荷Ｌａ又はＬｂのオン／オフ表示する発光ダイオードＬＤ７，ＬＤ８を駆動したり、或いは照度レベルを発光ダイオードＬＤ１〜ＬＤ６を駆動してバーグラフ状に表示する機能と、光ワイヤレス信号送受信回路部５の受光素子（図示せず）で受光した設定器８０からのワイヤレス信号により端末器機能や、端末器アドレスのデータを設定部４に書き替える機能と、確認コマンドの受信時に設定部４の内容を送信させる機能とを持つ。
【００２４】
ここで、調光操作用端末器１ａ又は１ｂは、照明負荷Ｌの照度レベルを指示するためのアップ調光用操作スイッチＳｕ及びダウン調光用操作スイッチＳｄ、照度レベルを表示するための発光ダイオードＬＤ１〜ＬＤ６を少なくとも含むブロック単位に一つのアドレスを設定し、オンオフ操作用のスイッチＳａにも別途アドレスを設定することができ、これらのアドレスは設定部４に登録される。
【００２５】
図３は調光操作用端末器１ａの外観図を示し、ＪＩＳで規格化された大角形の配線器具を３個取り付けることができる１連形の取付枠６０に対応する寸法（これを「３個モジュール寸法」という。）に形成された器体１０を有し、その器体１０の表面にはアップ調光用操作スイッチＳｕ、ダウン調光用操作スイッチＳｄ、オンオフ用操作スイッチＳａの操作部を露設し、また照度レベルを表示するための発光ダイオードＬＤ１〜ＬＤ６並びに照明負荷Ｌのオン／オフ表示のための発光ダイオードＬＤ７，ＬＤ８を露設するとともに、設定器８０との間で光ワイヤレス信号でデータ授受を行うための光ワイヤレス信号送受信回路部５の送受光面１１を設けた構成となっており、この送受光面１１を介して設定器８０との間で光ワイヤレス信号によるデータ授受を行い、アドレスや機能の登録／変更や確認ができるようになっている。
【００２６】
取付枠６０は、図３に示すように開口窓６１を囲む両側片６２ａ, ６２ｂに、それぞれ器体１０の側縁に突設された係止爪１０ａが係合する保持孔６３を有し、一方の側片６２ｂには側片６２ａとの距離を変えるように撓むことができる操作片６４が形成される。取付枠６０に器体１０を取り付けるときには、取付枠６０の後方から器体１０を取付枠６０に押し付けるようにすれば、操作片６４が撓んで器体１０を取付枠６０に嵌着でき、このとき、器体１０の前部が開口窓６１から突出する。一方、取付枠６０から器体１０を外すには、操作片６４を側片６２ｂから引き離すようにドライバ等でこじればよい。開口窓６１を囲み側片６２ａ, ６２ｂに直交する連結片６５ａ, ６５ｂには、スイッチボックスに取付枠６０を結合するためのボックスねじを挿入する長孔６６や取付枠６０の前面を覆う化粧プレート６９（図４参照）を取り付けるプレートねじが螺合するねじ孔６７などが設けられる。さらに、連結片６５ａ，６５ｂには、長孔６６を通して挿入されるねじに螺合し、壁パネル等に形成された取付孔の周部を取付枠６０との間で挟持する鋏金具の一端部が挿入される挟み金具取付孔６８も形成される。
【００２７】
而して調光操作用端末器１ａは図４に示すように壁面に取付け化粧プレート６９を装着した状態では器体１０の前面が化粧プレート６９の窓孔６９ａより前面に突出した状態になる。この状態で器体１０の送受光面１１に設定器８０から光ワイヤレス信号で、データ設定のコマンドや、確認のコマンドを送れば、調光操作用端末器１側では信号処理部３の制御の下で設定部４に対してデータの書換えや、或いは設定してあるデータの読み出しが行なわれ、読み出されたデータは光ワイヤレス信号送受信回路部５の発光素子を介して送信され、この送信された光ワイヤレス信号を受信した設定器８０では表示部で表示して確認することができる。  また送信した信号が調光操作用端末器１ａ側で受信された場合には受信したことを示す信号が調光操作用端末器１ａ側から送信され、この信号を受信した設定器８０は発光素子を点滅させて送信が旨く行なわれたことを表示する。このようにアドレス設定や機能設定を調光操作用端末器１を外すことなく行なえる。
【００２８】
図５は調光操作用端末器１ｂを示す外観図である。調光操作用端末器１ｂが調光操作用端末器１ａと異なる点はアップ調光用操作スイッチＳｕ、ダウン調光用操作スイッチＳｄ、オンオフ用操作スイッチＳａの構造であり、回路構成並びに動作は実施形態１と共通するので図示並びに説明は省略する。
【００２９】
器体５０は３個モジュール寸法に形成されており、前面にハンドルユニット５１が覆着される。
【００３０】
ハンドルユニット５１は、器体５０の一側縁に沿った固定バー５２と、固定バー５２に対してヒンジ部（図示せず）を介して前後方向に揺動自在となるように枢着されたハンドル体５３とを備える形状に合成樹脂によって一体に形成されている。このハンドルユニット５１は、器体５０の一側縁に対して固定バー５２を溶着ないし接着することによって結合される。また、ハンドル体５３にはヒンジ部に結合した端部とは反対側の端部に器体５０に向かって移動規制爪（図示せず）が突設され、移動規制爪の先端部が器体５０の他側縁に設けた係止爪（図示せず）に噛合することによって、ハンドル体５３の前方への移動範囲が規制されるようになっている。また、ハンドル体５３には後面側に突出するばね片（図示せず）が一体に形成されており、ばね片の先端部が器体５０に設けた突台（図示せず）に当接することによって、ハンドル体５３が前方に付勢されている。ハンドル体５３の後面にはプリント基板に実装されたタクトスイッチ（ストロークの小さい小型の押釦スイッチ）を押すための押突起（図示せず）も突設されている。ここにおいて、タクトスイッチはアップ調光用操作スイッチＳｕ、ダウン調光用操作スイッチＳｄ、オンオフ用操作スイッチＳａに対応して３個設けられており、したがってハンドル体５３も３個設けられている。
【００３１】
ハンドル体５３の前面には、アップ調光用操作スイッチＳｕ、ダウン調光用操作スイッチＳｄ、オンオフ用操作スイッチＳａの機能名や照明負荷Ｌの場所名などを記入するためのネームカード５４と、透明な合成樹脂の成形品であるネームカバー５５とが被着される。固定バー５２には長手方向の全長に亙ってレベル表示用の発光ダイオードＬＤ１〜ＬＤ６、オンオフ表示用の発光ダイオードＬＤ７，ＬＤ８、光ワイヤレス信号を授受する送受光面５６が並設される。
【００３２】
図３，図５に示す調光操作用端末器１ａ又は１ｂが調光操作のみの単機能の端末器であるが、操作用端末器９０は一つの端末器で、調光、点滅、パターン、更に電動、空調等の負荷操作が行える多機能操作用端末器であって、図６に示すように器体の大きさを３連形（勿論４連形でも良い）の取付枠に対応させており、両側には取付枠に係止するための係止爪（図示せず）をそれぞれ設けてある。そして器体表面にはタッチパネル９１を配置した液晶表示器９２を設けてある。
【００３３】
この液晶表示器９２の下部に設けたネーム表示部９４を設けている。
【００３４】
液晶表示器９２は図７に示すような操作画面を表示するもので、表示する操作画面の左側に図６に示すように「グループ」、「調光／点滅」、「電動／空調」、「シーン（パターン）」という制御内容を示す文字が記入された操作釦が表示される表示部位９２ａを設け、この表示部位９２ａで表示される各操作釦Ｂ1 …はそれぞれの釦である。つまり操作画面はページ切り換えによって表示される。ネーム表示部９４は左端に制御内容を示す文字が、そして横方向には各々制御対象となる負荷の場所や種別を示す文字が表示されるようになっている。そして各負荷の場所や、種別の表示部位の上方の操作画面の表示部位にはその負荷に対応する操作釦や状態表示が表示されるようになっている。
【００３５】
而して、多機能操作用端末器９０では、各制御内容に対応した操作用端末器として機能することが可能なように対応するオン／オフ操作用端末器や調光操作用端末器のアドレス（チャンネル）に対応したアドレスが設定され、伝送処理装置７０から見た場合には複数の操作用端末器が存在している場合と同じことになり、伝送処理装置７０との間でデータの授受は操作内容に応じて設定されたアドレスに対応付けして行われる。
【００３６】
ここで、調光操作用端末器１ａ或いは１ｂ（又は多機能用端末器９０の対応機能）では対応する照明負荷の照度レベルを変化させるためのアップ調光用操作スイッチＳｕ及びダウン調光用操作スイッチＳｄ、照度レベルを表示するための発光ダイオードＬＤ１〜ＬＤ６を少なくとも含むブロック単位に一つのアドレスを設定し、オンオフ用操作スイッチＳａにも上記アドレスと別個独立にアドレスを設定することができるので、従来のようにインバータ式の蛍光灯照明器具のような照明負荷Ｌｂの点灯、消灯、調光を行う場合に、アップ調光用操作スイッチＳｕ及びダウン調光用操作スイッチＳｄ等を含むブロックのアドレスを調光制御用端末器７３ｂのアドレスに対応付けるとともに、オンオフ用操作スイッチＳａのアドレスをオンオフ用制御用端末器７１のアドレスと対応付けることが可能となる。その結果、アップ調光用操作スイッチＳｕ及びダウン調光用操作スイッチＳｄで照明負荷Ｌの照度レベルを指示することができるとともに、オンオフ用操作スイッチＳａにて照明負荷Ｌｂのオン／オフ（点灯／消灯）が行える。したがって、従来のように照明負荷Ｌｂのオンオフ（点灯及び消灯）を行うために調光操作用端末器１以外に別途オンオフ用操作用端末器を設ける必要がなく、操作用端末器の設置スペースを削減することが可能となるのである。なお、上記２つのアドレスを同一の調光制御用端末器７３ａ又は７３ｂのアドレスと対応付けた場合には、従来と同様にオンオフ用操作スイッチＳａで調光信号のオンオフが行える。勿論アップ調光用操作スイッチＳｕ等を含むアドレス及びオンオフ用操作スイッチＳａのアドレスと、対応する調光制御用端末器７３ａ又は７３ｂ及びオンオフ用制御用端末器７１のアドレスとの対応付けの関係テーブルを伝送処理装置７０に備えており、伝送処理装置７０側で上記対応関係が判るようになっている。
【００３７】
ここで、図８は本基本形態に用いる伝送処理装置７０の回路構成を示しており、商用電源より所定の直流電源を得て内部回路に電源供給を行う電源回路１００と、伝送処理装置７０の中枢として信号処理、制御処理等を行うＣＰＵからなる信号処理部１０１と、信号処理部１０１の制御の下で伝送信号Ｖｓを送出するとともに返信信号を受信する送受信部１０２と、電源を監視して電源立ち上がり時に信号処理部１０１をリセットするための電源監視回路１０３と、信号線Ｌｓの短絡を電流の大きさにより検出して短絡検出時には信号処理部１０１に検出信号を与えるとともに、表示を行う信号線短絡検出／表示回路１０４と、後述するパターン制御（及びグループ制御）の設定データ、グループ状態、個別負荷の状態を記憶するフラッシュメモリ１０５と、伝送処理装置７０の動作プログラムを格納しているフラッシュメモリ１０６と、データの一時格納、ワークエリア等の確保に用いるＲＡＭ１０７とから構成される。
【００３８】
而して、図１において調光操作用端末器１ａのアップ調光用操作スイッチＳｕ及びダウン調光用操作スイッチＳｄ等を含むブロックのアドレスを調光制御用端末器７３ｂのアドレスに対応付けるとともに、オンオフ用操作スイッチＳａのアドレスをオンオフ制御用端末器７１のアドレスと対応付けしてあるものとし、まずオンオフ操作スイッチＳａを操作して対応するオンオフ制御用端末器７１のリレーをオン動作させて照明負荷Ｌｂに電源を供給を行った後、アップ調光用操作スイッチＳｕ（又はダウン調光用操作スイッチＳｄ）を押し操作すると、図９に示すシーケンス図に沿って信号処理が行われる。
【００３９】
つまり、アップ調光用操作スイッチＳｕ（又はダウン調光用操作スイッチＳｄ）がオン操作されると調光操作用端末器１ａより照度変化要求のための割込信号を送出する。これに応じて伝送処理装置７０は割り込みポーリングを行い、当該調光操作用端末器１ａよりアドレスの返信を行わせる。このアドレス返信に基づいて伝送処理装置７０は当該アドレスをアクセスして監視データの返信を要求する。この要求に応じて当該調光操作用端末器１ａはアップ調光用操作スイッチＳｕ（又はダウン調光用操作スイッチＳｄ）の操作データを照度変化要求の監視データとして返信する。この監視データを受けると、伝送処理装置７０は割り込み解除の制御データを当該調光操作用端末器１ａへ伝送した後、当該調光操作用端末器１ａに対応関係のある調光制御用端末器７３ｂをアクセスして照度変化開始の制御データを伝送する。制御データを受け取った当該調光制御用端末器７３ｂは段階的に照度レベルをアップ（又はダウン）させる調光信号を照明負荷Ｌｂに送り、調光制御を開始する。
【００４０】
一方伝送処理装置７０は調光制御用端末器７３ｂをアクセスして照度変化開始の制御データを伝送した後、調光操作用端末器１ａをアクセスして照度レベル変化開始の制御データを伝送する。
【００４１】
この制御データを受け取った調光操作用端末器１ａは表示回路部８を通じてレベル表示部１２の発光ダイオードＬＤ１〜ＬＤ６の点灯個数を順次増加（又は減少）させてバー表示の長さを変化させることにより、照度レベルの表示を変化させる。
【００４２】
このようにして調光制御用端末器７３ｂは照度変化停止の制御データを受け取るまで照明負荷Ｌｂの照度レベルを段階的に変化させる調光制御を行い、一方調光操作用端末器１ａでは，照度レベル表示の停止の制御データを受け取るまで、照度レベル表示を変化させる動作を行う。
【００４３】
そして調光操作用端末器１ａは、アップ調光用操作スイッチＳｕ（又はダウン調光用操作スイッチＳｄ）のオン操作が解除されてオフすると照度変化停止要求ための割込信号を送出する。これに応じて伝送処理装置７０は割り込みポーリングを行い、当該調光操作用端末器１ａよりアドレスの返信を行わせる。このアドレス返信に基づいて伝送処理装置７０は当該アドレスをアクセスして監視データの返信を要求する。この要求に応じて当該調光操作用端末器１ａはアップ調光用操作スイッチＳｕ（又はダウン調光用操作スイッチＳｄ）のオフ操作データを照度変化停止の監視データとして返信する。この監視データを受けると、伝送処理装置７０は割り込み解除の制御データを当該調光操作用端末器１ａへ伝送した後、当該調光操作用端末器１ａに対応関係のある調光制御用端末器７３ｂをアクセスして照度変化停止の制御データを伝送する。制御データを受け取った当該調光制御用端末器７３ｂはその時点の照度レベルの調光信号を照明負荷Ｌｂへ継続的に送出して照明負荷Ｌｂの照度レベルの変化を停止させる。
【００４４】
一方伝送処理装置７０は調光制御用端末器７３ｂをアクセスして照度変化停止の制御データを伝送した後、調光操作用端末器１ａをアクセスして照度レベル変化停止の制御データを伝送する。
【００４５】
この制御データを受け取った調光操作用端末器１ａは表示回路部８を通じて発光ダイオードＬＤ１〜ＬＤ６の点灯個数を順次増加（又は減少）させてバー表示の長さを変化させる動作を停止してその時点の照度レベルの表示状態を維持する。
【００４６】
このようにして本基本形態では、調光操作用端末器１ａの照度レベルの表示制御を自走させることにより調光制御中の割り込み処理を無くし、調光制御中に他の操作用端末器の操作があっても即時に応答することが可能となる。
【００４７】
尚上記説明では調光操作用端末器１ａと調光制御用端末器７３ｂとの組み合わせについて説明したが、調光操作用端末器１ａと調光制御用端末器７３ａの組み合わせ，或いは調光操作用端末器１ｂと調光制御用端末器７３ａ又は７３ｂの組み合わせの場合も同様な処理を行うのは言うまでもない。
【００４８】
（実施形態１）
上記基本形態での調光制御用端末器７３ｂ（或いは７３ａ）は個別のアドレスを設定することにより、伝送処理装置７０で端末器の認識ができるようになっているが、本実施形態では一斉制御用アドレスを個別のアドレスとともに設定でき、且つ複数の調光制御用端末器７３ｂ（或いは７３ａ）を一括制御するパターン制御を行う際に、目標照度レベルの設定と、所定の照度レベルから目標の照度レベルへフェードできるようにするとともにフェード時間の設定ができるようになっている。尚調光制御用端末器７３ｂ（或いは７３ａ）を用いるようにしたものである。システム構成及び各端末器の基本構成は基本形態に準ずるので説明は省略する。
【００４９】
図１の構成においてパターン制御を行う場合には、パターン制御により一括制御する調光制御用端末器７３ｂ（又は７３ａ）に夫々割り当てた個別アドレスと調光制御対象となる照明負荷が蛍光灯照明器具に対応するものである場合に設けられるオンオフ制御用端末器７１の個別アドレスと更に照明負荷Ｌａを点灯／消灯するオンオフ制御用端末器７１’の個別アドレスとを、パターン制御に対応して設けられる操作用端末器のアドレス及び当該パターン制御においてフェード開始を同時に行うための一斉制御用アドレスを関連付けて監視制御装置３０のフラッシュメモリ１０５に登録する。またフラッシュメモリ１０５には、各調光制御用端末器７３ｂ（又は７３ａ）により調光制御される照明負荷の目標照度レベルを夫々調光制御用端末器７３ｂ（又は７３ａ）に対応付けて登録するとともに、上記フェード機能を持つ各調光制御用端末器７３ｂ（又は７３ａ）に対応してフェード時間を登録する。これらの登録は、例えば多機能操作用端末器９０にパターン制御の設定機能を設け、システムを設定モードで動作させた状態で設定データを伝送処理装置７０へ伝送するようにして行う。勿論、この方法以外によっても設定を行っても良い。一方、上記一斉制御用アドレスを設定器８０を用いてフェード機能を持つ各調光制御用端末器７３ｂ（又は７３ａ）に設定しておく。
【００５０】
而して上記登録したパターン制御に対応せる操作用端末器（例えば多機能操作用端末器９０の何れか）のパターン操作スイッチをオン操作すると、伝送処理装置７０との間で上述の割り込み処理を経た後、伝送処理装置７０は、図１０のシーケンス図に示すようにまず当該多機能操作用端末器９０に対して操作表示のための制御データを送るとともに、当該パターン制御に登録してあるフェード機能を持つ調光制御用端末器７３ｂ（又は７３ａ）［新調光制御用端末器と称する］及びフェード機能を持たない調光制御用端末器７３ｂ（又は７３ａ）［旧調光制御用端末器と称する］に対して伝送処理装置７０は個別アドレスの例えば小さいものから順次予め登録されている目標照度レベルデータ及びフェード時間のデータを制御データとして伝送する。
【００５１】
各調光制御用端末器７３ｂ（又は７３ａ）では伝送されてきた目標照度レベルを記憶し、またフェード機能を備えた調光制御用端末器７３ｂ（又は７３ａ）ではフェード時間も記憶する。
【００５２】
次に伝送処理装置７０は、登録されている各オンオフ制御用端末器７１、７１’に対してリレー制御の制御データを個別アドレスの例えば小さいものから順次伝送して、各オンオフ制御用端末器７１，７１’のリレーをオン動作させる。
【００５３】
従ってオンオフ制御用端末器７１’で点灯／消灯される照明負荷Ｌａは点灯し、また蛍光灯照明器具を照明負荷Ｌｂとしている調光制御用端末器７３ｂでは併設されるオンオフ制御用端末器７１のリレーがオン動作して照明負荷Ｌｂに電源が供給されることになる。
【００５４】
ここで旧調光制御用端末器では直ちに記憶してある目標照度レベルで照明負荷Ｌｂを点灯させる。
【００５５】
一方新調光制御用端末器では予め設定してある最小の照度レベルで照明負荷Ｌａを点灯させる。
【００５６】
そして伝送処理装置７０は、リレー制御の制御データの伝送終了後、一斉制御用アドレスに対してフェード開始の制御データを伝送する。
【００５７】
一斉制御用アドレスが設定されている新調光制御用端末器ではフェード開始の制御データを同時に受けとって、フェード動作を開始する。ここで最小照度レベルから目標照度レベルまで予め記憶したフェード時間をかけて徐々に照度を変化をさせるように調光信号を照明負荷Ｌａに与える。これによりフェード制御ができるのである。
【００５８】
この後伝送処理装置７０は，上記パターン制御が正常に実行できたかを、グループ制御の対象端末器を順次アクセスして状態監視のデータを要求する。
【００５９】
例えば照明負荷Ｌａを点灯・消灯させるオンオフ制御用端末器７１からの監視データを受け取ると、当該照明負荷Ｌａを操作する個別操作スイッチ用端末器１ｃに対して当該照明負荷Ｌａの状態を表示させるための制御データを送り、また調光制御用端末器７３ｂ（或いは７３ａ）からの照度レベルを示す監視データに対応して、それぞれの調光制御用端末器７３ｂ（或いは７３ａ）に対応する調光操作用端末器１ａ或いは１ｂに対して当該照明負荷の状態を表示させるための制御データを送り、夫々に設けた表示部において負荷状態を表示させる。
【００６０】
この際，フェード機能を持つ調光制御用端末器７３ｂ（或いは７３ａ）はフェードにより照明負荷の照度レベルを徐々に変化させているので、現在の照度レベルを監視データとして返信した場合、すぐに現在の照度レベルと返信した照度レベルとの間に食い違うことになってしまう。そこでフェード制御中に状態監視のデータの返信を要求されると、フェードにより最終的に制御する目標照度レベルを監視データとして返信するようになっており、この監視データを受け取った伝送処理装置７０では，登録している目標照度データと一致しているかの照合を行い、その照合結果に基づく表示のための制御データをパターン操作用端末器、本実施形態では多機能操作用端末器９０に伝送して表示させ、パターン制御を終了する。
【００６１】
尚最小照度レベルから目標照度レベルへ照度をアップしていくフェード制御について説明したが、ある照度レベルから目標照度レベルへダウンしていくフェード制御においてもパターン制御が可能であるのは言うまでもない。
【００６３】
【発明の効果】
請求項１の発明は、伝送処理装置と、複数の端末器とを信号線にて接続し、伝送処理装置から端末器をアクセスして時分割多重伝送により、伝送処理装置から端末器へ制御データを伝送するとともに、端末器から監視データを返信させる遠隔監視制御システムを用い、伝送処理装置からのアクセスによりフェード開始の制御データを受け取ると所定照度レベルから予め設定された目標照度レベルへ照明負荷の照度をフェードさせる調光制御機能と、一斉制御用アドレスを個別アクセス用のアドレスに加えて設定可能なアドレス部を有する複数の調光制御用端末器と、一括制御対象となる調光制御用端末器に対応する操作スイッチを備えた操作用端末器とを具備し、伝送処理装置は、上記操作用端末器の操作スイッチの操作に対応する監視データを受け取ると、上記一斉制御用アドレスをアクセスして当該一斉制御用アドレスが設定された調光制御用端末器にフェード開始用の制御データを送る機能を備え、上記調光制御用端末器は、個別アクセス用のアドレスのアクセスによって伝送処理装置から目標照度レベルのデータを受け取ってフェード時の目標照度レベルとして記憶保持する機能を備え、フェード制御中に上記伝送処理装置から状態監視データの返信を要求されると、上記調光制御用端末器は、フェードにより最終的に制御する上記目標照度レベルを監視データとして返信するので、フェード制御を複数の調光制御用端末器で一斉に同時に行えるパターン制御ができるものであって、照明負荷の照度レベルを徐々に変化させることができるため，雰囲気に応じた極め細かいパターン制御ができるという効果がある。
【００６４】
また上記調光制御用端末器は、個別アクセス用のアドレスのアクセスによって伝送処理装置から目標照度レベルのデータを受け取ってフェード時の目標照度レベルとして記憶保持する機能を備えてあるので、個々の調光制御用端末器において、目標照度レベルをパターン制御開始に当たって設定することができる。
【００６５】
請求項２の発明は、請求項１の発明において、上記所定照度レベルから上記目標所定レベルまで照明負荷の照度を変化させるに要するフェード時間データを調光制御用端末器に伝送処理装置から与えるもので、個々の調光制御用端末器におけるフェード時間を目標照度レベルに応じて設定することが可能となり、雰囲気に応じたより極め細かいパターン制御ができる。
【図面の簡単な説明】
【図１】本発明の基本形態の全体構成図である。
【図２】同上に用いる調光操作用端末器の回路ブロック図である。
【図３】（ａ）は同上に用いる調光操作用端末器の一例の正面図である。（ｂ）は同上に用いる調光操作用端末器の一例の側面図である。
【図４】同上に用いる設定器の使用状態説明図である。
【図５】（ａ）は同上に用いる調光操作用端末器の他例の正面図である。（ｂ）は同上に用いる調光操作用端末器の他例の側面図である。
【図６】同上に用いる多機能操作用端末器の正面図である。
【図７】同上に用いる多機能操作用端末器の液晶表示器の表示例図である。
【図８】同上に用いる伝送処理装置の回路ブロック図である。
【図９】同上の動作説明用シーケンス図である。
【図１０】本発明の実施形態１の動作説明用シーケンス図である。
【図１１】従来例の全体構成図である。
【図１２】遠隔監視制御システムの時分割多重伝送信号の説明図である。
【図１３】従来例の動作説明用シーケンス図である。
【符号の説明】
１ａ 調光操作用端末器
１２ レベル表示部
ＬＤ１〜ＬＤ６ 発光ダイオード
Ｓｕ 調光アップ用操作スイッチ
Ｓｄ 調光ダウン用操作スイッチ
Ｓａ オンオフ用操作スイッチ
【図１】
0004035891.tif 000002
【図２】
0004035891.tif 000003
【図３】
0004035891.tif 000004
【図４】
0004035891.tif 000005
【図５】
0004035891.tif 000006
【図６】
0004035891.tif 000007
【図７】
0004035891.tif 000008
【図８】
0004035891.tif 000009
【図９】
0004035891.tif 000010
【図１０】
0004035891.tif 000011
【図１１】
0004035891.tif 000012
【図１２】
0004035891.tif 000013
【図１３】
0004035891.tif 000014